(57)【要約】【課題】情報配信ネットワークを実現するためのシステム及び方法が、この情報配信ネットワークを介して情報配信サービスを提供するように構成された情報サービスを含む。【解決手段】装置ユーザがユーザ装置を利用して、情報配信サービスを受けるために情報サービスと通信する。トランスポート構造が、情報配信ネットワーク内の様々なネットワークエンティティと通信して適当なメタデータを収集するように実現される。広告セレクタが、収集したメタデータを広告選択手順中に評価するための広告選択アルゴリズムを利用することにより、情報配信ネットワークを介してユーザ装置に提供するためのターゲット広告を識別する。【選択図】図１
2012074041.tif 000002
【特許請求の範囲】
【請求項１】
情報配信ネットワークにおいて広告選択手順を実施するためのシステムであって、
前記情報配信ネットワークを介して情報配信サービスを提供するように構成された情報サービスと、
前記情報配信サービスを受けられるように前記情報サービスと通信するために装置ユーザが利用するユーザ装置と、
前記広告選択手順中にメタデータを評価することにより、前記情報配信ネットワークを介して前記ユーザ装置に提供するためのターゲット広告を識別するための広告セレクタと、
を備えることを特徴とするシステム。
【請求項２】
前記情報配信ネットワークにおいてネットワークエンティティと通信するトランスポート構造をさらに含み、該トランスポート構造が、前記広告選択手順を実施するための前記メタデータを収集する、
ことを特徴とする請求項１に記載のシステム。
【請求項３】
前記メタデータが、前記装置ユーザに関するユーザメタデータと、前記ユーザ装置に関する装置メタデータと、前記ユーザ装置の位置メタデータと、前記ターゲット広告に関する広告メタデータとを含む、
ことを特徴とする請求項１に記載のシステム。
【請求項４】
前記ユーザメタデータが、ユーザの購入取引及びユーザのインターネット閲覧パターンを含む過去及び現在のユーザ行動を含む、
ことを特徴とする請求項３に記載のシステム。
【請求項５】
前記ユーザメタデータが、前記装置ユーザの個人名、性別、年齢、宗教、趣味、興味、職業、結婚歴、住所、収入、及び個人的好みを含むパーソナルプロファイル情報を含む、
ことを特徴とする請求項３に記載のシステム。
【請求項６】
前記装置メタデータが、前記ユーザ装置の特定の機能、動作能力、及び特徴を含む、
ことを特徴とする請求項３に記載のシステム。
【請求項７】
前記広告メタデータが、前記ターゲット広告の広告目標を定める特定の広告目標を含むとともに、広告フォーマット、広告の長さ、広告のメディアタイプ、及び広告する製品に関する価格情報を含む広告特徴も含む、
ことを特徴とする請求項３に記載のシステム。
【請求項８】
前記広告メタデータが、前記ターゲット広告の各々に対応する広告命令セットを含み、該広告命令が、前記広告選択手順を実施するための選択基準を指定し、該選択基準が、いつ広告を表示すべきか、どのように前記広告を表示すべきか、どれほどの頻度で前記広告を表示すべきか、前記広告を表示すべき１又はそれ以上のフォーマット、及びどのような対象視聴者に前記広告を表示すべきかを含む、
ことを特徴とする請求項３に記載のシステム。
【請求項９】
前記位置メタデータが、前記ユーザ装置のＧＰＳモジュールから取得した位置座標及び対応する時間を含む、前記ユーザ装置の現在及び過去の位置を含む、
ことを特徴とする請求項３に記載のシステム。
【請求項１０】
前記情報配信ネットワークにおける前記トランスポート構造の動作をモニタして制御するトランスポートサーバをさらに備える、
ことを特徴とする請求項２に記載のシステム。
【請求項１１】
前記広告セレクタが、前記トランスポートサーバに実装されて前記ユーザ装置の代わりに前記広告選択手順を実施する、
ことを特徴とする請求項１０に記載のシステム。
【請求項１２】
前記広告セレクタが、前記ユーザ装置の１又はそれ以上に実装されて前記広告選択手順をローカルに実施する、
ことを特徴とする請求項１１に記載のシステム。
【請求項１３】
前記装置ユーザが、前記装置ユーザからの双方向通信を含むユーザフィードバックメタデータを提供して、前記ターゲット広告に対する肯定的反応又は否定的反応のいずれかを示し、前記装置ユーザからの否定的入力を利用して、禁止された広告のブラックリストを作成する、
ことを特徴とする請求項１に記載のシステム。
【請求項１４】
広告選択アルゴリズムを利用して、前記ターゲット広告を広告選択因子に照らして評価し識別する、
ことを特徴とする請求項１に記載のシステム。
【請求項１５】
前記広告選択因子が、前記広告選択因子の相対的優先順位に依存する重み値を割り当てることにより強調され、又は強調が抑えられる、
ことを特徴とする請求項１４に記載のシステム。
【請求項１６】
前記広告選択因子が、装置ユーザ情報、ユーザ装置情報、地理的位置情報、ユーザ行動情報、広告目標、及び広告特徴を含む、
ことを特徴とする請求項１４に記載のシステム。
【請求項１７】
前記広告選択アルゴリズムが、ｗ1、ｗ2、ｗ3、ｗ4、ｗ5、及びｗ6をそれぞれの重み因子とし、前記装置ユーザ情報をＵＩ、前記ユーザ装置情報をＤＩ、前記地理的位置情報をＬＩ、前記装置ユーザ行動をＵＢ、前記広告目標をＡＯ、前記広告特徴をＡＣとする、
広告選択スコア＝ｗ1（ＵＩ）＋ｗ2（ＤＩ）＋ｗ3（ＬＩ）＋ｗ4（ＵＢ）＋ｗ5（ＡＯ）＋ｗ6（ＡＣ）
という式に基づく重み付け広告選択因子の和として表される、
ことを特徴とする請求項１６に記載のシステム。
【請求項１８】
前記ユーザ装置及び該ユーザ装置の装置ユーザに関連するメタデータを管理する装置アプリケーションと、
広告選択手順中に前記メタデータを評価することにより、前記情報配信ネットワークを介して前記ユーザ装置に提供するためのターゲット広告を識別する広告セレクタと、
を含むことを特徴とするユーザ装置。
【請求項１９】
前記情報配信ネットワークにおいてネットワークエンティティと通信するトランスポート構造をさらに含み、該トランスポート構造が、前記広告選択手順を実施するための前記メタデータを収集する、
ことを特徴とする請求項１８に記載のユーザ装置。
【請求項２０】
前記メタデータが、前記装置ユーザに関するユーザメタデータと、前記ユーザ装置に関する装置メタデータと、前記ユーザ装置の位置メタデータと、前記ターゲット広告に関する広告メタデータとを含む、
ことを特徴とする請求項１８に記載のユーザ装置。
【請求項２１】
広告選択アルゴリズムを利用して、前記ターゲット広告を広告選択因子に照らして評価し識別する、
ことを特徴とする請求項１８に記載のユーザ装置。
【請求項２２】
前記広告選択因子が、装置ユーザ情報、ユーザ装置情報、地理的位置情報、ユーザ行動情報、広告目標、及び広告特徴を含む、
ことを特徴とする請求項２１に記載のユーザ装置。
【発明の詳細な説明】
【技術分野】
【０００１】
本発明は、一般に電子情報を配信するための技術に関し、より具体的には、広告選択手順を効果的に実施するためのシステム及び方法に関する。
【背景技術】
【０００２】
電子情報を配信するための効果的な方法を実施することは、現代の電子システムの設計者及び製造者にとって重要な検討課題である。しかしながら、電子装置が利用する電子情報を効果的に配信することにより、システム設計者に多くの課題が生じる恐れがある。例えば、さらなるシステムの機能及び性能を求める要求が高まることにより、より大きなシステム処理能力が必要となり、追加のソフトウェアリソースが必要となる可能性がある。処理要件又はソフトウェア要件の増加により、生産コスト及び経営の非効率性が増加した結果、これに対応する不利益な経済的影響がもたらされる可能性もある。
【０００３】
さらに、様々な高度な配信動作を行うためにシステム能力が高まることにより、システムユーザに付加的な利益がもたらされる場合もあるが、様々なシステム構成要素の制御及び管理に関するさらなる要求が突きつけられる可能性もある。例えば、電子広告情報を効果的に管理する電子システムは、必要なデジタルデータの量が多く複雑であるため、効果的な実施から恩恵を受けることができる。
【発明の概要】
【発明が解決しようとする課題】
【０００４】
システムリソースに対する要求が増加し、データの大きさが大幅に増加している結果、電子情報を電子装置に配信するための新しい技術を開発することが、関連する電子技術にとって懸案事項であることは明らかである。従って、上述した全ての理由から、電子情報を配信するための効果的な技術を開発することは、現代の電子システムの設計者、製造者、及びユーザにとって依然として重要な検討課題のままとなっている。
【課題を解決するための手段】
【０００５】
本発明によれば、広告選択手順を効果的に実施するためのシステム及び方法が開示される。１つの実施形態では、配信システムが、対応するユーザ装置の装置ユーザが利用するのに適した様々な種類の情報を自動的に提供する。例えば、配信される情報は、以下に限定されるわけではないが、特定の装置ユーザをターゲットとする商業広告情報を含むことができる。所望の広告情報に積極的にアクセスするように消費者に要求する「プル」モデルをサポートする従来の広告技術とは異なり、上述の配信システムは、装置ユーザ及び様々な広告主の両方を定めた対応するメタデータファイルに基づいて適当な広告情報を自動的に選択してターゲット装置ユーザへ送信する「プッシュ」モデルをサポートする。
【０００６】
１つの実施形態では、配信システムが、配信システム内の適当なエンティティとの間で様々な種類の関連情報を自動的に伝送する１又はそれ以上のトランスポート構造をサポートし、これを利用することができる。例えば、このトランスポート構造を利用して、情報サービスから様々な装置ユーザ、ユーザ装置、電子ネットワーク、及びそれぞれの広告主に関するメタデータを収集して転送することができる。また、このトランスポート構造を利用して、適当なユーザ装置にターゲット広告及び／又は電子コンテンツへのリンクを提供することもできる。
【０００７】
本発明の１つの実施形態によれば、トランスポート構造からの様々な種類のメタデータにメタデータ分析を実行して適当な広告選択を行うことにより広告選択手順を実施するための広告セレクタを実装することができる。いくつかの実施形態では、広告セレクタが、収集したメタデータを所定の選択基準に照らして分析して、メタデータに含まれる特定のターゲティング特性及びパラメータを識別することができる。例えば、ターゲティング特性は、以下に限定されるわけではないが、ユーザメタデータ、装置メタデータ、ネットワークメタデータ、広告メタデータ、及び位置メタデータからの選択情報を含むことができる。
【０００８】
いくつかの実施形態では、広告セレクタが、選択された広告選択因子に照らして関連広告を評価し識別するための広告選択アルゴリズムを利用することができる。１つの実施形態では、広告を広告主にとって効果的なものにし、消費者にとって関連性のあるものにする上で、それぞれの広告選択因子の相対的重要性に依存する重み値を因子に割り当てることにより、異なる広告選択因子を強調し、又は強調を抑えることができる。従って、少なくとも上述の理由により、本発明は、広告選択手順を効果的に実施するための改善されたシステム及び方法を提供する。
【図面の簡単な説明】
【０００９】
【図１】本発明の１つの実施形態による配信システムのブロック図である。
【図２Ａ】本発明によるトランスポート構造の１つの実施形態を示すブロック図である。
【図２Ｂ】本発明によるメディアファイルの１つの実施形態を示すブロック図である。
【図３】本発明による図１のユーザ装置の１つの実施形態を示すブロック図である。
【図４】本発明による図３のユーザメモリの１つの実施形態を示すブロック図である。
【図５】本発明による図１の情報サービスの１つの実施形態を示すブロック図である。
【図６Ａ】本発明による図５のトランスポートサーバの１つの実施形態を示すブロック図である。
【図６Ｂ】本発明による図６Ａのサーバメモリの１つの実施形態を示すブロック図である。
【図７】本発明による図５の広告サーバの１つの実施形態を示すブロック図である。
【発明を実施するための形態】
【００１０】
本発明は、電子データ配信技術の改善に関する。以下の説明は、当業者が本発明を実施及び使用できるようにするために提供し、特許出願及びその要件との関連において行うものである。当業者には、開示する実施形態に対する様々な修正が明らかであろうし、また本明細書における一般的な原理を他の実施形態に適用することもできる。従って、本発明は、図示の実施形態に限定されることを意図されるものではなく、本明細書で説明する原理及び特徴と一致する最も広い範囲を許容すべきものである。
【００１１】
本発明は、情報配信ネットワークを実現するためのシステム及び方法を含むとともに、この情報配信ネットワークを介して情報配信サービスを提供するように構成された情報サービスを含む。装置ユーザがユーザ装置を利用して、情報配信サービスを受けるために情報サービスと通信する。トランスポート構造は、情報配信ネットワーク内の様々なネットワークエンティティと通信して適当なメタデータを収集するように実現される。広告セレクタが、収集したメタデータを広告選択手順中に評価するための広告選択アルゴリズムを利用することにより、情報配信ネットワークを介してユーザ装置に提供するためのターゲット広告を識別する。
【００１２】
ここで図１を参照すると、本発明の１つの実施形態による配信システム１１０のブロック図を示している。図１の実施形態では、配信システム１１０が、以下に限定されるわけではないが、１又はそれ以上のユーザ装置１２２、情報サービス１１８、及びネットワーク１２６を含むことができる。代替の実施形態では、図１の実施形態に関連して説明する構成要素及び構成のいくつかに加え、或いはこれらの代わりに構成要素及び構成を利用することにより配信システム１１０を実現することができる。
【００１３】
本発明によれば、配信システム１１０が、対応するユーザ装置１２２の装置ユーザが利用するのに適した様々な種類の情報を自動的に提供する配信手順を有利にサポートする。例えば、配信される情報は、以下に限定されるわけではないが、ユーザ装置１２２の適当な装置ユーザを具体的にターゲットとする商業広告情報を含むことができる。所望の広告情報に積極的にアクセスするように消費者に要求する「プル」モデルをサポートする従来の広告技術とは異なり、図１の配信システム１１０は、装置ユーザ、ユーザ装置、及び様々な広告主を定める対応するメタデータに基づいて適当な広告情報を自動的に選択しターゲット装置ユーザへ送信する「プッシュ」モデルをサポートする。
【００１４】
図１の実施形態では、金銭的な又はその他の対価と引き換えに広告主及び装置ユーザに配信サービスを提供する配信制御エンティティによって配信システム１１０を実現しサポートすることができる。配信制御エンティティは、情報サービス１１８又はユーザ装置１２２などの配信システム１１０のキー要素を保持して制御する営利企業であってもよい。
【００１５】
本発明によれば、配信システム１１０が、配信システム１１０内の適当なエンティティとの間で様々な種類の関連する情報を自動的に伝送する１又はそれ以上のトランスポート構造（図２Ａを参照）をサポートして利用できるという利点を有する。例えば、トランスポート構造を利用して、情報サービス１１８から様々な装置ユーザ、ユーザ装置１２２、ネットワーク１２６、及びそれぞれの広告主とその広告に関するメタデータを収集して転送することができる。また、トランスポート構造を利用して、適当なユーザ装置１２２がアクセスできるようにターゲット広告及び／又は電子コンテンツへのリンクを伝送又は提供することもできる。
【００１６】
従来の広告モデルでは、通常、消費者の個人的な好み、位置、使用する装置の能力、及び消費者の現在及び過去の行動を考慮せずに広告が消費者に提供される。多くの場合、この広告には関連性がない。また、消費者からフィードバックを得て広告の効果を評価するためのメカニズムも存在しない。通常、これらの広告努力には、消費者の個人的装置、購入パターン及び位置から収集される情報が欠けている。また、現在のシステムは、双方向的でも対話的でもない。
【００１７】
これらの上述の問題に対処するために、本発明は、ターゲット化されたタイムリーな広告を装置ユーザに有利に提供するために広告選択手順を効果的に実施するための改善されたシステム及び方法を提供する。以下、図１の配信システム１１０の実施構成及び利用に関するさらなる詳細について図２Ａ〜図７に関連して説明する。
【００１８】
ここで図２Ａを参照すると、本発明によるトランスポート構造２１０の１つの実施形態のブロック図を示している。図２Ａの実施形態は例示目的で示すものであり、代替の実施形態では、図２Ａの実施形態に関連して説明する構成要素及び構成のいくつかに加え、或いはこれらの代わりに構成要素及び構成を利用することによりトランスポート構造２１０を実現することができる。
【００１９】
図２Ａの実施形態では、ユーザメタデータ２２２が、ユーザ装置１２２（図１）の１又はそれ以上の装置ユーザに関する情報を含むことができる。ユーザメタデータ２２２は、あらゆる所望の種類の情報を含むことができる。例えば、ユーザメタデータ２２２は、以下に限定されるわけではないが、購入取引及びインターネット閲覧パターンなどの過去及び現在のユーザの行動を含むことができる。いくつかの実施形態では、ユーザメタデータ２２２が、１又はそれ以上の適当なユーザプロファイル４３０（図４）から選択的に作成した情報を含むこともできる。
【００２０】
同様に、装置メタデータ２２６は、１又はそれ以上のユーザ装置１２２に関するあらゆる所望の種類の情報を含むことができる。例えば、装置メタデータ２２６は、以下に限定されるわけではないが、対応するユーザ装置１２２の特定の機能及び特徴を含むことができる。いくつかの実施形態では、１又はそれ以上の適当な装置プロファイル４３４（図４）から装置メタデータ２２６を選択的に作成することができる。図２Ａの実施形態では、ネットワークメタデータ２３０が、電子ネットワーク１２６（図１）の様々な属性又はエンティティに関するあらゆる所望の種類の情報を含むことができる。
【００２１】
図２Ａの実施形態では、広告メタデータ２３４が、配信システム１１０に関連する１又はそれ以上の広告主及び広告に関するあらゆる所望の種類の情報を含むことができる。いくつかの実施形態では、広告を広告ソース５４０（図５）に関連付けることができる。図５の実施形態では、広告メタデータ２３４が、広告目標及び対応する広告の目的を定める特定の広告目標を含むことができる。また、広告メタデータ２３４は、対応する広告に関する広告特徴を含むことができる。例えば、広告特徴は、以下に限定されるわけではないが、広告フォーマット、広告の長さ、及び広告のメディアタイプを含むことができる。図５の実施形態では、広告メタデータ２３４が、広告する（単複の）製品に関する価格情報を含むこともできる。
【００２２】
いくつかの実施形態では、広告メタデータ２３４が、個々の広告に対応する広告命令セットを含むことができる。この広告命令は、対応する広告を選択又は拒否するためのあらゆる所望の基準を指定することができる。例えば、広告命令は、いつ広告を表示すべきか、どのように広告を表示すべきか、どれほどの頻度で広告を表示すべきか、広告を表示すべき１又はそれ以上のフォーマット、及びどのような対象視聴者に広告を表示すべきかを指定することができる。本発明のいくつかの実施形態によれば、所与の装置ユーザ及び対応するユーザ装置１２２のために特定の広告を選択してこれを有効にすべきかどうかを判定するために、これらの広告命令を個別に評価することができる。
【００２３】
図２Ａの実施形態では、位置メタデータ２３８が、１又はそれ以上のユーザ装置１２２の現在又は過去の（単複の）位置に関する情報を含むことができる。いくつかの実施形態では、位置メタデータ２３８が、以下に限定されるわけではないが、ユーザ装置１２２のＧＰＳモジュールから収集された様々な種類の位置座標及び対応する時間を含むことができる。図２Ａの実施形態では、ユーザフィードバックメタデータ２４０が、装置ユーザ又はユーザ装置１２２により生成された、広告情報の選択又は受信に関するあらゆる適当な情報を含むことができる。
【００２４】
いくつかの実施形態では、ユーザフィードバックメタデータ２４０が、本発明による広告セレクタ（図４を参照）が行った特定の広告選択を含むことができる。また、ユーザフィードバックメタデータ２４０は、所与の広告に対する肯定的反応又は否定的反応のいずれかを示す、１又はそれ以上の装置ユーザからのあらゆる有効な種類の双方向通信を含むことができる。いくつかの実施形態では、装置ユーザからの否定的入力を利用して、対応する装置ユーザ及びこれらのユーザ装置１２２によって禁止された広告のブラックリストを作成することができる。図２Ａの実施形態では、雑情報２４２が、いずれかの追加データ又はその他の適当な情報を含むことができる。メディアリンク２４６は、以下で図２Ｂに関連して説明するように、１又はそれ以上のメディアファイルにアクセスするための場所又は接続手段を示すための適当な情報を含むことができる。
【００２５】
配信システム１１０内の様々なエンティティは、トランスポート構造２１０内の情報をあらゆる適当な形で利用することができる。例えば、本発明によれば、広告セレクタ（図４を参照）が、ユーザメタデータ２２２、装置メタデータ２２６、広告メタデータ２３４、及び位置メタデータ２３８のうちの対応する要素を識別してマッチさせることによって、ターゲット装置ユーザへ自動送信するのに適した種類の関連広告情報を識別することにより、広告選択手順を実施することができる。
【００２６】
トランスポート構造２１０は、いずれかの適当なソースからいずれかの効果的な形で作成することができる。例えば、トランスポート構造２１０をユーザ装置１２２（図１）に組み込んで、必要に応じて装置ユーザがこれを起動するようにすることができる。或いは、ネットワーク１２６又は情報サービス１１８内の様々なエンティティがトランスポート構造２１０を作成し、又は起動することができる。例えば、トランスポートサーバ（図６を参照）がトランスポート構造２１０の作成及び動作を管理することができる。以下、図２Ａのトランスポート構造２１０の実施構成及び利用に関するさらなる詳細について図２Ｂ〜図７に関連して説明する。
【００２７】
ここで図２Ｂを参照すると、本発明によるメディアファイル２５０の１つの実施形態のブロック図を示している。図２Ｂの実施形態は例示目的で示すものであり、代替の実施形態では、図２Ｂの実施形態に関連して説明する構成要素及び構成のいくつかに加え、或いはこれらの代わりに構成要素及び構成を利用することによりメディアファイル２５０を実現することができる。例えば、図２Ｂのメディアファイル２５０は、図２Ａのメディアリンク２４６を利用することによりアクセスできる別個のエンティティとして示している。しかしながら、代替の実施形態では、メディアファイル２５０を、図２Ａのトランスポート構造２１０の一体部分として実現することができる。
【００２８】
図２Ｂの実施形態では、広告（ａｄｓ）２５４は、ユーザ装置１２２（図１）のうちの適当なユーザ装置へ送信するために選択されたいずれかの適当な種類のターゲット広告情報を含むことができる。同様に、コンテンツアイテム２５８は、ユーザ装置１２２のうちの適当なユーザ装置へ送信するために選択されたいずれかの適当な種類の電子コンテンツ情報を含むことができる。例えば、コンテンツ２５８は、以下に限定されるわけではないが、ビデオデータ、オーディオデータ、グラフィクス、テキスト、映画、音楽レコーディング、及びコンピュータプログラムを含むことができる。以下、適当なメディアファイル２５０をターゲット装置ユーザに提供するためのさらなる情報について図３〜図７に関連してさらに説明する。
【００２９】
ここで図３を参照すると、本発明による図１のユーザ装置１２２の１つの実施形態のブロック図を示している。図３の実施形態では、ユーザ装置１２２が、以下に限定されるわけではないが、中央処理装置（ＣＰＵ）３１４と、メモリ３１８と、ディスプレイ３３８と、グローバルポジショニングシステム（ＧＰＳ）モジュール３４４と、１又はそれ以上の（単複の）入力／出力インターフェイス（（単複の）Ｉ／Ｏインターフェイス）３４０とを含む。
【００３０】
図３の実施形態は例示目的で示すものであり、代替の実施形態では、図３の実施形態に関連して説明する構成要素及び構成のいくつかに加え、或いはこれらの代わりに構成要素及び構成を使用してユーザ装置１２２を実現することができる。また、ユーザ装置１２２を、以下に限定されるわけではないが、デスクトップコンピュータ、携帯情報端末、デジタルカメラ、携帯電話、セットトップボックス、又はラップトップコンピュータを含むいずれかの種類のポータブルな又は非ポータブルな電子装置として実現することもできる。
【００３１】
図３の実施形態では、ＣＰＵ３１４を、好ましくはソフトウェア命令を実行するいずれかの適当な及び互換性のあるマイクロプロセッサ装置を含むように実現することにより、ユーザ装置１２２の動作を制御及び管理することができる。図３のディスプレイ３３８は、装置ユーザに様々な情報を表示するのに適した画面を備えたブラウン管モニタ又は液晶ディスプレイ装置を含むいずれかの効果的な種類のディスプレイ技術を含むことができる。図３の実施形態では、（単複の）Ｉ／Ｏインターフェイス３４０が、ユーザ装置１２２がいずれかの必要な種類の情報を受信及び／又は送信するための１又はそれ以上の入力及び／又は出力インターフェイスを含むことができる。
【００３２】
図３の実施形態では、以下に限定されるわけではないが、読み出し専用メモリ（ＲＯＭ）、ランダムアクセスメモリ（ＲＡＭ）、及びフロッピーディスク、メモリスティック、コンパクトディスク、又はハードディスクなどの様々な種類の不揮発性メモリを含む所望の記憶装置のいずれかの組み合わせを含むようにメモリ３１８を実現することができる。図３の実施形態では、ユーザ装置１２２が、いずれかの公知の又は拡張された装置の位置特定手順を実施するためのＧＰＳモジュール３４４を利用して、ユーザ装置１２２に対応する位置座標を提供することができる。以下、ユーザ装置１２２の利用に関する追加の詳細について図４〜図７に関連してさらに説明する。
【００３３】
ここで図４を参照すると、本発明による図３のユーザメモリ３１８の１つの実施形態のブロック図を示している。代替の実施形態では、図４の実施形態に関連して説明する構成要素及び構成のいくつかに加え、或いはこれらの代わりに構成要素及び構成を利用することによりユーザメモリ３１８を実現することができる。
【００３４】
図４の実施形態では、装置アプリケーション４２２が、好ましくはＣＰＵ３１４により実行されてユーザ装置１２２のための様々な機能及び動作を実行するプログラム命令を含むことができる。通常、装置アプリケーション４２２の具体的な特質及び機能は、対応するユーザ装置１２２の特定の種類及び具体的な機能などの要素によって異なる。
【００３５】
図４の実施形態では、広告セレクタ４２６又はその他の適当なエンティティが、いずれかの効果的な技術を利用することにより広告選択手順を実施することができる。図４の実施形態では、広告セレクタ４２６が、トランスポート構造２１０からの様々な種類のメタデータにメタデータ分析を実行して適当な広告選択を行う。いくつかの実施形態では、広告セレクタ４２６が、収集したメタデータを所定の選択基準に照らして分析して、メタデータに含まれる特定のターゲティング特性及びパラメータを識別することができる。例えば、ターゲティング特性は、以下に限定されるわけではないが、ユーザメタデータ２２２、装置メタデータ２２６、ネットワークメタデータ２３０、広告メタデータ２３４、及び位置メタデータ２３８（図２Ａを参照）からの選択情報を含むことができる。
【００３６】
図４の実施形態では、ユーザ装置１２２が、ユーザ装置１２２又はユーザ装置１２２の装置ユーザに関するいくつかの属性又は特徴をまとめて記述するユーザプロファイル４３０及び装置プロファイル４３４を含むことができる。例えば、ユーザプロファイル４３０は、以下に限定されるわけではないが、装置ユーザの名前、性別、年齢、宗教、趣味、興味、職業、結婚歴、住所、収入、インターネット閲覧履歴、地理的位置、クレジットカードの取引記録、及びユーザの好みに関する情報を含むことができる。同様に、装置プロファイル４３４は、以下に限定されるわけではないが、装置の種類、装置のメーカー、サポートされている装置の機能、及び装置の構成を含むことができる。
【００３７】
図４の実施形態では、広告（ａｄｓ）４４２が、配信システム１１０（図１）を介して受け取られる、ユーザ装置１２２の装置ユーザに特化したターゲット広告情報を含むことができる。同様に、コンテンツ４４６は、配信システム１１０（図１）を介して受け取られる、ユーザ装置１２２の装置ユーザに特化したターゲット電子コンテンツ情報を含むことができる。図４の実施形態では、広告選択データ４５０が、広告セレクタ４２６が本発明による対応する広告選択手順を実施できるようにするためのあらゆる所望の情報を含むことができる。多くの実施形態では、通常、広告選択データ４５０は、個々の装置ユーザ及びユーザ装置１２２によって異なる。広告選択データ４５０内の情報は、１又はそれ以上のトランスポート構造２１０（図２Ａ）から取得したメタデータを含むことができる。トランスポート構造２１０内のメタデータは修正及び更新されるので、通常、広告選択データ４５０は時間の経過とともに更新される。
【００３８】
本発明は、装置ユーザが、受信した広告を自身の好き嫌いに合わせることに参加するためのメカニズムを提供する。広告セレクタ４２６は、以前に送信した広告に関する製品価格及びユーザフィードバックなどの因子に基づいて、関連広告を広告の蓄積から選択するための効果的な処理をサポートし、これにより最適な広告を正しい装置上に正しいタイミングで消費者に提供する。この「最適広告獲得」技術は、広告の有効性を広告主及び消費者の両方の観点から大幅に高める。
【００３９】
開示する広告選択手順は、広告エコシステムにおける全てのポイントから関連する事前定義可能な種類のメタデータを収集し、ユーザ装置１２２に戻して表示するための適当な広告を識別する広告選択アルゴリズムに収集したメタデータを通すことにより、広告、装置ユーザ、及びユーザ装置のメタデータを収集し、交換し、分析して、それぞれの装置ユーザへの特定のターゲットの広告のリアルタイムに近い配信を最適化する方法を提供する。
【００４０】
上述の広告選択アルゴリズムは、いずれかの効果的な要素又は選択技術を含むように実現することができる。いくつかの実施形態では、広告選択アルゴリズムを利用して、関連広告を様々な広告選択因子に照らして評価し識別することができる。図４の実施形態では、広告を広告主にとって効果的なものにし、ユーザにとって関連性のあるものにする上で、それぞれの広告選択因子の相対的重要性に依存する重み値を割り当てることにより、異なる広告選択因子を強調し、又は強調を抑えることができる。
【００４１】
図４の実施形態では、特定の消費者への特定の広告のリアルタイムに近い配信を最適化する上で使用する広告選択アルゴリズムが、あらゆる所望の広告選択因子を含むことができる。例えば、広告選択因子は、以下に限定されるわけではないが、装置ユーザ情報、ユーザ装置情報、地理的位置情報、ユーザ行動情報、広告目標、及び広告特徴を含むことができる。他の実施形態では、広告選択因子が、上述した広告因子のいくつかに加えて、或いはこれらの代わりにいくつかの項目を含むことができる。また、上述の広告選択因子は、広告選択アルゴリズムにおいて別個の広告選択因子として見なされる１又はそれ以上の部分集合を有することができる。
【００４２】
いくつかの実施形態では、広告選択アルゴリズムを、以下に示すような重み付け広告選択因子の和の式として表すことができる。
広告選択スコア＝ｗ1（ＵＩ）＋ｗ2（ＤＩ）＋ｗ3（ＬＩ）＋ｗ4（ＵＢ）＋ｗ5（ＡＯ）＋ｗ6（ＡＣ）
この場合、ｗ1、ｗ2、ｗ3、ｗ4、ｗ5、及びｗ6はそれぞれの重み因子であり、ＵＩは装置ユーザ情報、ＤＩはユーザ装置情報、ＬＩは地理的位置情報、ＵＢは装置ユーザ行動、ＡＯは広告目標、ＡＣは広告特徴である。
【００４３】
上述の広告選択アルゴリズムの例は例示目的で示すものであり、代替の実施形態では、上述した要素及び機能のいくつかに加え、或いはこれらの代わりに要素及び機能を含むように広告選択アルゴリズムを容易に実現することができる。いくつかの実施形態では、上述した広告選択スコアの値を利用して、対応する広告の妥当性を広告選択手順中に定量化することができる。
【００４４】
図４の実施形態では、ユーザフィードバックメタデータ４５４が、以下に限定されるわけではないが、本発明による広告セレクタ４２６が行った特定の広告選択を含むことができる。また、ユーザフィードバックメタデータ４５４は、装置ユーザからの、所与の広告に対する肯定的反応又は否定的反応のいずれかを示すあらゆる効果的な種類の双方向通信を含むことができる。いくつかの実施形態では、装置ユーザからの否定的入力を利用して、装置ユーザ及び対応するユーザ装置１２２が禁止する広告のブラックリストを作成することができる。以下、図４のユーザメモリ３１８の実施構成及び利用に関するさらなる詳細について図５〜図７に関連して説明する。
【００４５】
ここで図５を参照すると、本発明による図１の情報サービス１１８の１つの実施形態のブロック図を示している。図５の実施形態では、情報サービス１１８は、以下に限定されるわけではないが、コントローラ５１４と、トランスポートサーバ５１８と、広告サーバ５３８と、１又はそれ以上の広告ソース５４０と、１又はそれ以上のコンテンツソース５４２とを含む。図５の実施形態は例示目的で示すものであり、代替の実施形態では、図５の実施形態に関連して説明する構成要素及び構成のいくつかに加え、或いはこれらの代わりに構成要素及び構成を使用して情報サービス１１８を実現することができる。
【００４６】
図５の実施形態では、情報サービス１１８の動作機能を調整するためのいずれかの効果的な制御手段を含むようにコントローラ５１４を実現することができる。例えば、いくつかの実施形態では、コントローラ５１４を、情報サービス１１８の動作を管理する対応する制御アプリケーションプログラムを含むコンピュータ装置として実現することができる。或いは、ソフトウェア命令を実行するためのいずれかの適当な互換性のあるマイクロプロセッサ装置を含む中央処理装置としてコントローラ５１４を実現することにより、情報サービス１１８の動作を制御及び管理することができる。
【００４７】
図５の実施形態では、トランスポートサーバ５１８が、本発明による１又はそれ以上のトランスポート構造２１０（図２）と通信してこれを制御するためのいずれかの効果的な手段を含むことができる。トランスポートサーバ５１８の実施構成及び利用に関する追加の詳細については、以下で図６Ａ〜図６Ｂに関連してさらに説明する。図５の実施形態では、（単複の）広告ソース５４０が、配信システム１１０（図１）を介して宣伝するための広告情報を提供する１又はそれ以上の適当なエンティティを含むことができる。例えば、広告ソース５４０は、様々な営利企業、特定の広告主、又は広告開発者を含むことができる。
【００４８】
図５の実施形態では、（単複の）コンテンツソース５４２が、配信システム１１０を介して宣伝するための電子コンテンツを提供する１又はそれ以上の適当なエンティティを含むことができる。例えば、コンテンツソース５４２は、様々な営利企業、特定の広告主、又はコンテンツ製作者を含むことができる。図５の実施形態では、広告サーバ５３８が、ユーザ装置１２２（図１）のターゲット装置ユーザに提供するための適当な広告情報及び／又は電子コンテンツを、１又はそれ以上のトランスポート構造２１０（図２）からのメタデータを利用することにより識別して集計するためのいずれかの効果的な手段を含むことができる。広告サーバ５３８の１つの実施形態については、以下で図７に関連してさらに説明する。以下、情報サービス１１８の実施構成及び利用に関する追加の詳細について図６〜図７に関連してさらに説明する。
【００４９】
ここで図６Ａを参照すると、本発明による図５のトランスポートサーバ５１８の１つの実施形態のブロック図を示している。図６Ａの実施形態では、トランスポートサーバ５１８が、以下に限定されるわけではないが、中央処理装置（ＣＰＵ）６１４と、メモリ６１８と、ディスプレイ６３８と、１又はそれ以上の（単複の）入力／出力インターフェイス（（単複の）Ｉ／Ｏインターフェイス）６４０とを含む。図６Ａの実施形態は例示目的で示すものであり、代替の実施形態では、図６Ａの実施形態に関連して説明する構成要素及び構成のいくつかに加え、或いはこれらの代わりに構成要素及び構成を使用してトランスポートサーバ５１８を実現することができる。
【００５０】
図６Ａの実施形態では、好ましくはソフトウェア命令を実行するいずれかの適当な互換性のあるマイクロプロセッサ装置を含むようにＣＰＵ６１４を実現することにより、トランスポートサーバ５１８の動作を制御及び管理することができる。図６Ａのディスプレイ６３８は、装置ユーザに様々な情報を表示するのに適した画面を備えたブラウン管モニタ又は液晶ディスプレイ装置を含むあらゆる効果的な種類のディスプレイ技術を含むことができる。図６Ａの実施形態では、（単複の）Ｉ／Ｏインターフェイス６４０が、トランスポートサーバ５１８がいずれかの必要な種類の情報を受信及び／又は送信するための１又はそれ以上の入力及び／又は出力インターフェイスを含むことができる。図６Ａの実施形態では、以下に限定されるわけではないが、読み出し専用メモリ（ＲＯＭ）、ランダムアクセスメモリ（ＲＡＭ）、及びフロッピーディスク、メモリスティック、コンパクトディスク、又はハードディスクなどの様々な種類の不揮発性メモリを含む所望の記憶装置のいずれかの組み合わせを含むようにトランスポートサーバメモリ６１８を実現することができる。
【００５１】
ここで図６Ｂを参照すると、本発明による図６Ａのトランスポートサーバメモリ６１８の１つの実施形態のブロック図を示している。代替の実施形態では、図６Ｂの実施形態に関連して説明する構成要素及び構成のいくつかに加え、或いはこれらの代わりに構成要素及び構成を利用することによりトランスポートサーバメモリ６１８を実現することができる。
【００５２】
図６Ｂの実施形態では、トランスポートサーバメモリ６１８が、以下に限定されるわけではないが、以下で開示及び説明するいくつかのソフトウェアプログラム及びデータを含むことができる。例えば、トランスポートサーバメモリ６１８は、好ましくはＣＰＵ６１４により実行されてトランスポートサーバ５１８のための様々な機能及び動作を実行するプログラム命令からなるサーバアプリケーション６４４を含むことができる。通常、サーバアプリケーションの具体的な特質及び機能は、対応するトランスポートサーバ５１８の特定の種類及び具体的な機能などの要素次第で異なる。
【００５３】
本発明によれば、トランスポートサーバ５１８がＴＳマネージャ６４８を利用して、本発明による１又はそれ以上のトランスポート構造２１０（図２Ａ）のための様々な機能を管理及び調整することができる。いくつかの実施形態では、ＴＳマネージャ６４８が、配信システム１１０（図１Ａ）からの様々な許可された配信サービスに参加するためにユーザ装置１２２の装置ユーザを登録するための登録手順を調整する登録モジュールを含むことができる。ＴＳデータベース６５２は、配信システム１１０内の様々なエンティティに配信サービスを提供するトランスポート構造２１０に関するいずれかの適当な情報を含むことができる。いくつかの実施形態では、ＴＳマネージャ６４８が、ＴＳデータベース６５２内のそれぞれのトランスポート構造情報を、配信システム１１０内のトランスポート構造２１０の現在の状態を反映するように絶えず更新することができる。
【００５４】
いくつかの実施形態では、トランスポートサーバ５１８が、１又はそれ以上の装置ユーザ及び対応するユーザ装置１２２に代わって広告選択手順を実施するための広告セレクタ６５６及び広告選択データ６６０を含むことができる。図６Ｂの実施形態では、広告セレクタ６５６及び広告選択データ６６０を、これらがあらゆる所望の数の装置ユーザ及び対応するユーザ装置１２２に対して個々の広告選択手順を実施できることを除き、ユーザ装置１２２の対応する広告セレクタ４２６及び広告選択データ４５０（図４を参照）と同じ又は類似の機能を実施するように実現することができる。従って、ここでは、セレクタ６５６及び広告選択データ６６０の機能及び利用に関して言及することにより、上述の図４のセレクタ４２６及び広告選択データ４５０の機能及び利用に関する説明が組み入れられる。換言すれば、広告選択手順は、個々のユーザ装置１２２によってローカルに実施することもでき、又はトランスポートサーバ５１８などの中央エンティティによって遠隔で実施することもできる。
【００５５】
図６Ｂの実施形態では、メタデータマネージャ６６４又はその他の適当なエンティティが、いずれかの効果的な技術を利用することにより、トランスポート構造２１０からのメタデータにメタデータ分析／集約手順を実施することができる。いくつかの実施形態では、メタデータ分析／集約手順により、広告選択手順中に様々な種類及びカテゴリの集約されたメタデータ６６８を識別して、これを広告セレクタ６５６が利用できるようにする。いくつかの実施形態では、メタデータマネージャ６６４が、ユーザ装置１２２及び対応する装置ユーザから収集したメタデータをいくつかの所定の基準に照らして分析して、集約されたメタデータ６６８内の特定のターゲティング特性及びパラメータを識別することができる。例えば、ターゲティング特性は、以下に限定されるわけではないが、ユーザメタデータ２２２、装置メタデータ２２６、ネットワークメタデータ２３０、及び広告メタデータ２３４（図２Ａを参照）からの選択特性を含むことができる。図６Ｂの実施形態では、雑情報６７２が、トランスポートサーバ５１８が利用するためのあらゆる所望の種類の情報又はデータを含むことができる。
【００５６】
ここで図７を参照すると、本発明による図５の広告サーバ５３８の１つの実施形態のブロック図を示している。図７の実施形態では、広告サーバ５３８が、以下に限定されるわけではないが、中央処理装置（ＣＰＵ）７１４と、メモリ７１８と、ディスプレイ７３８と、１又はそれ以上の（単複の）入力／出力インターフェイス（（単複の）Ｉ／Ｏインターフェイス）７４０とを含む。図７の実施形態は例示目的で示すものであり、代替の実施形態では、図７の実施形態に関連して説明する構成要素及び構成のいくつかに加え、或いはこれらの代わりに構成要素及び構成を使用して広告サーバ５３８を実現することができる。
【００５７】
図７の実施形態では、好ましくはソフトウェア命令を実行するいずれかの適当な互換性のあるマイクロプロセッサ装置を含むようにＣＰＵ７１４を実現することにより、広告サーバ５３８の動作を制御及び管理することができる。図７のディスプレイ７３８は、装置ユーザに様々な情報を表示するのに適した画面を備えたブラウン管モニタ又は液晶ディスプレイ装置を含むいずれかの効果的な種類のディスプレイ技術を含むことができる。図７の実施形態では、（単複の）Ｉ／Ｏインターフェイス７４０が、広告サーバ５３８がいずれかの所望の種類の情報を受信及び／又は送信するための１又はそれ以上の入力及び／又は出力インターフェイスを含むことができる。
【００５８】
図７の実施形態では、以下に限定されるわけではないが、読み出し専用メモリ（ＲＯＭ）、ランダムアクセスメモリ（ＲＡＭ）、及びフロッピーディスク、メモリスティック、コンパクトディスク、又はハードディスクなどの様々な種類の不揮発性メモリを含む所望の記憶装置のいずれかの組み合わせを含むようにメモリ７１８を実現することができる。図７の実施形態では、メモリ７１８が、以下に限定されるわけではないが、サーバアプリケーション７２２、ドッキングポート７２６、広告７３０、及びコンテンツ７３４を含む。
【００５９】
図７の実施形態では、サーバアプリケーション７２２が、広告サーバ５３８の様々な機能及び動作を実行するための、好ましくはＣＰＵ７１４により実行されるプログラム命令を含むことができる。通常、サーバアプリケーション７２２の具体的な特質及び機能は、対応する広告サーバ５３８の特定の種類及び具体的な機能などの要素によって異なる。いくつかの実施形態では、サーバアプリケーション７２２が、ユーザ装置１２２、トランスポートサーバ５１８、又はその他の適当なエンティティからの広告選択を分析して適当な広告を識別し、ユーザ装置１２２（図１）のターゲット装置ユーザに提供することができる。
【００６０】
図７の実施形態では、ドッキングポート７２６が、広告サーバ５３８が１又はそれ以上のトランスポート構造２１０（図２）と双方向通信して広告７３０、コンテンツ７３４、又は広告選択情報を転送するためのいずれかの効果的なインターフェイス手段を含むことができる。図７の実施形態では、広告７３０が、広告ソース５４０（図５）などのいずれかの適当なエンティティから広告サーバ５３８に提供される広告情報を含む。同様に、図７の実施形態では、コンテンツ７３４が、コンテンツソース５４２（図５）などのいずれかの適当なエンティティから広告サーバ５３８に提供される電子コンテンツを含む。
【００６１】
従って、上述した全ての理由により、本発明は、広告選択手順を効果的に実施するための改善されたシステム及び方法を提供する。以上、いくつかの実施形態を参照しながら本発明について説明した。当業者には本開示に照らして他の実施形態も明らかであろう。例えば、上記の特定の実施形態で説明したもの以外のいくつかの構成及び技術を使用して本発明を容易に実施することができる。また、上述した以外のシステムとともに本発明を効果的に使用することもできる。従って、説明した実施形態に対するこれらの及びその他の変形も本発明の対象となることが意図され、これらは添付の特許請求の範囲によってのみ限定される。
【図１】
2012074041.tif 000003
【図２Ａ】
2012074041.tif 000004
【図２Ｂ】
2012074041.tif 000005
【図３】
2012074041.tif 000006
【図４】
2012074041.tif 000007
【図５】
2012074041.tif 000008
【図６Ａ】
2012074041.tif 000009
【図６Ｂ】
2012074041.tif 000010
【図７】
2012074041.tif 000011
【外国語明細書】
2012074041.tif 000012
2012074041.tif 000013
2012074041.tif 000014
2012074041.tif 000015
2012074041.tif 000016
2012074041.tif 000017
2012074041.tif 000018
2012074041.tif 000019
2012074041.tif 000020
2012074041.tif 000021
2012074041.tif 000022
2012074041.tif 000023
2012074041.tif 000024
2012074041.tif 000025
2012074041.tif 000026
2012074041.tif 000027
2012074041.tif 000028
2012074041.tif 000029
2012074041.tif 000030
2012074041.tif 000031
2012074041.tif 000032
2012074041.tif 000033
2012074041.tif 000034
2012074041.tif 000035
2012074041.tif 000036
2012074041.tif 000037
2012074041.tif 000038
2012074041.tif 000039
2012074041.tif 000040
2012074041.tif 000041
2012074041.tif 000042
2012074041.tif 000043
2012074041.tif 000044
2012074041.tif 000045
2012074041.tif 000046
2012074041.tif 000047
2012074041.tif 000048